(57)【要約】【課題】ユニット建物から回収された建物ユニットの床に遮音構造を施すことによって、建物ユニットの性能を向上させて再利用を容易にした建物ユニットの遮音床構造及びその施工方法を提供すること。【解決手段】ユニット建物から回収した建物ユニットの床材２の上に弾性材層４２と制振材層４１を有する遮音シート４と表面板６とをこの順に敷設して貼着する。【選択図】　　　　図１
2004019123.tif 000002
【特許請求の範囲】
【請求項１】
既設床の上に、弾性材層と制振材層を有する遮音シートを介して、表面板を敷設して貼着したことを特徴とする遮音床構造。
【請求項２】
制振材層が、アスファルトに酸化鉄と無機フィラーを充填した制振シートであることを特徴とする請求項１記載の遮音床構造。
【請求項３】
既設床の上に、不陸吸収層と防音層を有する遮音シートを介して、表面板を敷設して貼着したことを特徴とする遮音床構造。
【請求項４】
不陸吸収層が、合成樹脂の高倍率発泡シートを有するものであり、防音層が、熱可塑性樹脂よりなる連続発泡層と、この連続発泡層の少なくとも片面上に複数配置される熱可塑性樹脂よりなる高発泡部、上記連続発泡層とともに高発泡部の外表面を被覆する低発泡薄膜とを備えた板状体を有するものであることを特徴とする請求項３記載の遮音床構造。
【請求項５】
ユニット建物から回収した建物ユニットの床材の上に、請求項１〜４のいずれか１項記載の遮音シートを介して、表面板を敷設して貼着したことを特徴とする建物ユニットの遮音床構造。
【請求項６】
既設床の上に、遮音シートと表面板とをこの順に貼着して遮音床構造を形成するにあたり、複数枚の遮音シートを側縁部同士が互いに接するように既設床の上に貼着し、次いで、前記遮音シートの上に複数枚の表面板をその側縁部が遮音シートの側縁部と重ならないように側縁部同士が互いに接するように貼着することを特徴とする遮音床の施工方法。
【請求項７】
ユニット建物から回収した建物ユニットの床材の上に、遮音シートと表面板とをこの順に貼着して遮音床構造を形成するにあたり、複数枚の遮音シートを側縁部同士が互いに接するように既設床の上に貼着し、次いで、前記遮音シートの上に複数枚の表面板をその側縁部が遮音シートの側縁部と重ならないように側縁部同士が互いに接するように貼着することを特徴とする建物ユニットの遮音床の施工方法。
【発明の詳細な説明】
【０００１】
【発明の属する技術分野】
この発明は、建物等の既設床の遮音床構造、建物ユニットの遮音床構造及びこれらの遮音床の施工方法に関する。
【０００２】
【従来の技術】
建物のリフォームをするにあたり、既設の床材を剥がすことなく、その床材の上に新たな床材を敷設することが行われている。
既設の床材の上に敷設する新たな床材としては、例えば、実用新案登録第３０４２７５６号明細書には、既設の床材上に、木質繊維板の表面に化粧層を形成し、木質繊維板の裏面に緩衝層を形成し、この緩衝層に、木質繊維板に達する複数本の溝を形成したリフォーム用床材が提案されている。
【０００３】
また、特開平６−２０７４５６号公報には、長方形の板を上層とし、相対する長辺の相対する位置に幅方向に１０ｍｍないし３０ｍｍの幅の凹入部と偶数個の凸出部を設けた板を下層とし、上層と下層を一体とし、下層の板の凸出部と凹入部を互いに嵌合させて上層の各辺が互いに密着するように施工する床材が提案されている。
【０００４】
また、特開平７−２０７７９３号公報には、表面仕上げ材と、表面仕上げ材の裏面に一体に接合されている高分子弾性材製のマットとを備え、マットの裏面に吸盤を形成した置敷床材が提案されている。
【０００５】
【発明が解決しようとする課題】
前記の実用新案登録第３０４２７５６号明細書、特開平６−２０７４５６号公報、特開平７−２０７７９３号公報等に記載されている床材は、既設の床材の上に貼着して施工するリフォーム用床材であって、表面層の仕上がりを良好にしたり、施工を簡単にしたり、歩行時の感触を良好にしたりするものであるが、いずれも遮音性の向上に配慮したものではなかった。
【０００６】
一方、遮音床材としては、例えば、特許第２５２７４９２号明細書には、表面板の下面に、織布の少なくとも片面にゴム又は合成樹脂の薄い塗膜が形成されたものあるいは繊維に予め撥水処理が施された織布からなる振動遮断用シート、複数の切溝等が設けられた木質下地板、不織布マットからなる緩衝板が順次積層一体化された木質遮音床板が提案されている。
【０００７】
上記特許第２５２７４９２号明細書に記載されている遮音床材は、軽量床衝撃音と重量床衝撃音の両方を低減しうる木質遮音床板であるが、木質下地板が一体化されたものであって、新築建物の床構築のための床板であるので、既設の床材の上に貼着して施工するリフォーム用床材として使用できなかった。
【０００８】
この発明は、上記の問題を解消しようとするものであり、既設床を取り外すことなく、その上に容易に敷設して、遮音性を向上させた建物等の遮音床構造及びその施工方法を提供することを目的とする。
【０００９】
また、複数個の建物ユニットを建築現場に搬送して組み立てたユニット建物については、改築等のため、ユニット建物を個々の建物ユニットに分けて回収することがあるが、この回収した建物ユニットは、構造的には未だ十分に耐久性があり、そのまま廃棄するには惜しく、再利用が望まれる。
【００１０】
そこで、この発明は、ユニット建物から回収された建物ユニットの床に遮音構造を施すことによって、建物ユニットの性能を向上させて再利用を容易にした建物ユニットの遮音床構造及びその施工方法を提供することを目的とする。
【００１１】
【課題を解決するための手段】
請求項１記載の発明の遮音床構造は、既設床の上に弾性材層と制振材層を有する遮音シートを介して、表面板を敷設して貼着したことを特徴とするものである。
【００１２】
請求項２記載の発明の遮音床構造は、請求項１記載の遮音床構造において、制振材層が、アスファルトに酸化鉄と無機フィラーを充填した制振シートであることを特徴とするものである。
【００１３】
請求項３記載の発明の建物ユニットの遮音床構造は、既設床の上に、不陸吸収層と防音層を有する遮音シートを介して、表面板を敷設して貼着したことを特徴とするものである。
【００１４】
請求項４記載の発明の建物ユニットの遮音床構造は、請求項３記載の建物ユニットの遮音床構造において、不陸吸収層が、合成樹脂の高倍率発泡シートを有するものであり、防音層が、熱可塑性樹脂よりなる連続発泡層と、この連続発泡層の少なくとも片面上に複数配置される熱可塑性樹脂よりなる高発泡部、上記連続発泡層とともに高発泡部の外表面を被覆する低発泡薄膜とを備えた板状体を有するものであることを特徴とするものである。
【００１５】
請求項５記載の発明の建物ユニットの遮音床構造は、ユニット建物から回収した建物ユニットの床材の上に、請求項１〜４のいずれか１項記載の遮音シートを介して、表面板を敷設して貼着したことを特徴とするものである。
【００１６】
請求項６記載の発明の遮音床の施工方法は、既設床の上に、遮音シートと表面板とをこの順に貼着して遮音床構造を形成するにあたり、複数枚の遮音シートを側縁部同士が互いに接するように既設床の上に貼着し、次いで、前記遮音シートの上に複数枚の表面板をその側縁部が遮音シートの側縁部と重ならないように側縁部同士が互いに接するように貼着することを特徴とするものである。
【００１７】
請求項７記載の発明の建物ユニットの遮音床の施工方法は、ユニット建物から回収した建物ユニットの床材の上に、遮音シートと表面板とをこの順に貼着して遮音床構造を形成するにあたり、複数枚の遮音シートを側縁部同士が互いに接するように既設床の上に貼着し、次いで、前記遮音シートの上に複数枚の表面板をその側縁部が遮音シートの側縁部と重ならないように側縁部同士が互いに接するように貼着することを特徴とするものである。
【００１８】
（作用）
請求項１記載の遮音床構造にあっては、既設床の上に、遮音シートを介して、表面板を敷設して貼着するものであるので、既設床を剥がないので施工時間が短縮でき、既設床の耐荷重性能を利用することにより、遮音シートや表面板に剛性等の耐荷重性能を付加する必要がなく、比較的安価に薄くすることができる。そして、遮音シートが弾性材層と制振材層を有するので、軽量床衝撃音と重量床衝撃音の両者を低減できる。
【００１９】
請求項２記載の遮音床構造にあっては、請求項１記載の発明の作用を奏するとともに、制振材層が、アスファルトに酸化鉄と無機フィラーを充填した制振シートであるので、重量床衝撃音を著しく低減できる。
【００２０】
請求項３記載の遮音床構造にあっては、既設床の上に、遮音シートを介して、表面板を敷設して貼着するものであるので、既設床を剥がないので施工時間が短縮でき、既設床の耐荷重性能を利用することにより、遮音シートや表面板に剛性等の耐荷重性能を付加する必要がなく、比較的安価に薄くすることができる。そして、遮音シートが不陸吸収層と防音層を有するので、衝撃音を吸収乃至遮音して床衝撃音を低減できる。
【００２１】
請求項４記載の遮音床構造にあっては、請求項３記載の発明の作用を奏するとともに、不陸吸収層が、合成樹脂の高倍率発泡シートを有するものであり、防音層が、熱可塑性樹脂よりなる連続発泡層と、この連続発泡層の少なくとも片面上に複数配置される熱可塑性樹脂よりなる高発泡部、上記連続発泡層とともに高発泡部の外表面を被覆する低発泡薄膜とを備えた板状体を有するものであるので、軽量で切断が簡単となり、既設床の上に敷設施工が容易且つ短時間に行うことができる。
そして、軽量床衝撃音の吸収に特に優れた防音性能を示し、床部が程よい硬さとなり、転倒時の衝撃が軽減され高齢者にもやさしいものとなり、また快適な歩行感が得られる。
【００２２】
請求項５記載の建物ユニットの遮音床構造にあっては、ユニット建物から回収した建物ユニットの床材の上に、請求項１又は３記載の遮音シートを介して、表面板を貼着するので、ユニット建物から回収した建物ユニットの床部の遮音性能が向上し、再利用ができるものとなる。なお、この遮音性能が向上した建物ユニットは、特に２階等の階上の建物ユニットとして使用すると、階上の床衝撃音の低減に寄与する。
【００２３】
請求項６記載の遮音床構造の施工方法にあっては、既設床の上に遮音シートと表面板とをこの順に貼着して遮音床構造を形成するにあたり、表面板の側縁部が遮音シートの側縁部と重ならないように貼着するので、床衝撃音が遮音シートや表面板の側縁部間から伝わることがなく、床衝撃音が低減する。
【００２４】
請求項７記載の建物ユニット遮音床構造の施工方法にあっては、建物ユニットの床材の上に、遮音シートと表面板とをこの順に貼着して遮音床構造を形成するにあたり、表面板の側縁部が遮音シートの側縁部と重ならないように貼着するので、床衝撃音が遮音シートや表面板の側縁部間から伝わることがなく、床衝撃音が低減し、ユニット建物から回収した建物ユニットの床部の遮音性能が向上し、再利用ができるものとなる。
【００２５】
【発明の実施の形態】
この発明の実施の形態を図面の実施例に基づいて説明する。
【００２６】
（実施の形態１）
図１は、この発明の遮音床構造の実施例を示すものであって、（Ａ）は、遮音床構造の断面図、（Ｂ）は、遮音床構造に使用される遮音シートの一例を示す断面図、図２は、遮音床構造に使用される遮音シートの敷設状態を示す模式図、図３は、表面板の敷設状態を示す模式図である。
【００２７】
図面において、１は既設床部の床下地のパーチクルボード、２は既設床、４は遮音シート、５は表面板である。
【００２８】
既設床２は、略６ｍｍの厚さであって、ユニット建物から回収されたユニット建物の床下地のパーチクルボード１の上に敷設されており、この既設床２の上に酢酸ビニル系接着剤等の接着剤３によって遮音シート４が貼着され、その上にシリコン系接着剤等のフローリング用接着剤５によって表面板６が貼着されて遮音床構造とされている。
【００２９】
上記の建物ユニットとしては、鋼製角パイプからなる四隅の柱と、各柱の上端間の溝型鋼製の上桁梁及び上妻梁と各柱の下端間の溝型鋼製の下桁梁から骨格構成体が構成され、下面に床部が形成されたものなどがあげられる。
【００３０】
遮音シート４の敷設状態については図２を参照して後述し、表面板６の敷設状態についても、図３を参照して後述する。
【００３１】
遮音シート４は、図１（Ｂ）に示すように、制振材層４１と弾性材層４２と表面層４３とがこの順に積層一体化されたものからなる。
【００３２】
制振材層４１は、アスファルトに酸化鉄と無機フィラーを充填した厚さが略２ｍｍの制振シートであり、弾性材層４２は、厚さが略１ｍｍの独立気泡のオレフィン系樹脂発泡シートであり、表面層４３は極薄い不織布であり、遮音シート４は全体として略３ｍｍ厚さとされている。
また、表面板６としては、略６ｍｍ厚さの木質系表面板が使用されている。
【００３３】
なお、制振材層４１としては、上記の制振シートに限らず、制振鋼板等が使用できる。
また、弾性材層４２としては、上記独立気泡のオレフィン系樹脂発泡シートに限らず、その他の合成樹脂シートや合成樹脂発泡シート、ゴムシート等が使用できる。また、表面板６としては、木質系以外の表面板も使用できる。
【００３４】
遮音シート４の敷設について、図２を参照して説明する。
先ず、壁面７等に囲まれた部屋の既設床２を清掃する等の調整を行って、その上に、酢酸ビニル系接着剤等の接着剤３を塗布する。この接着剤３は、図２（Ａ）に示すように、敷設する方形の遮音シート４の側縁部が置かれる位置に線状に塗布する。
【００３５】
次いで、図２（Ｂ）に示す数字の順番に遮音シート４を割り付ける。この図面において、８’と１６’は、割り付けの際に遮音シート４の８、１６番目のものを切断したものの残りである。
【００３６】
割り付けをした位置に遮音シート４をその制振材層４１を下にして既設床２に貼り合わせ、上から足で踏みよくなじませる。続いて、遮音シート４のなじみが悪い場所には、図２（Ｂ）に示すように、フィニッシュネイル８等で留めて貼り合わせを完全なものとする。
最後に、遮音シート４の側縁部の突き合わせ部等の不陸部をカッター９等を入れて調整し、遮音シート４の敷設を完了する。
【００３７】
表面板６の敷設について、図３を参照して説明する。
壁面７等に囲まれた部屋に遮音シート４を敷設した後、図３（Ａ）に示すように、木質表面板６を割り付け、基準線を墨出しする。この木質表面板６の割り付けの際には、すでに敷設した遮音シート４の側縁部の継ぎ目と木質表面板６の側縁部の継ぎ目が重ならないようにする。
【００３８】
次いで、図３（Ｂ）に示すように、遮音シート４の上にシリコン系接着剤等のフローリング用接着剤５を線状に塗布する。続いて、割り付けた位置に木質表面板６を敷設する。この木質表面板６が図２（Ｃ）に示すようなさね形状の表面板６１の場合には、図２（Ｄ）〜（Ｆ）に示す手順にしたがって敷設するのであり、木質表面板６が図２（Ｇ）に示すようなさね形状の表面板６２の場合には、図２（Ｈ）〜（Ｊ）に示す手順にしたがって敷設する。
【００３９】
（実施の形態１の作用）
既設床２の上に敷設した遮音シート４と表面板６は、全体の厚みとして略９ｍｍとなり、床高さは一般的な建具の敷居枠高さに合わせた高さとなっているので、支障なく使用できる。
また、従来の床部を剥がさないので、床部の強度をそのまま利用でき、施工が容易且つ短時間に行うことができる。
【００４０】
そして、遮音シート４が、アスファルトに酸化鉄と無機フィラーを充填した厚さが略２ｍｍの制振シートからなる制振材層４１と、厚さが略１ｍｍの独立気泡のオレフィン系樹脂発泡シートからなる弾性材層４２を有しているので、軽量床衝撃音と重量床衝撃音に対する遮音性能が向上し、床遮音性能は、略６ｍｍの既設床仕様でＬ−７０レベルから、Ｌ−６５レベルに向上したものとなっている。
【００４１】
（実施の形態２）
図４は、この発明の遮音床構造の他の実施例の断面図、図５は、遮音床構造に使用される遮音シートの断面図である。
【００４２】
図面において、１１は既設床、１５は遮音シート、１９は表面板である。
既設床１１は、実施の形態１の場合と同様、略６ｍｍの厚さであって、ユニット建物から回収されたユニット建物の床下地のパーチクルボードの上に敷設されており、この既設床１１の上に、酢酸ビニル系接着剤等の接着剤によって、遮音シート１５と表面板１９とが一体化されたものが貼着されて遮音床構造とされている。
【００４３】
遮音シート１５は、図５に示すように、フィルム層１２と不陸吸収層１３と防音層１４とをこの順に積層一体化されたものからなる。
【００４４】
不陸吸収層１３は、合成樹脂の高倍率発泡シート、例えば４０倍程度に発泡したウレタン発泡体からなり、２〜３ｍｍ厚さとされている。
フィルム層１２は、例えば１０〜１００μ厚さのポリオレフィン系樹脂フィルムからなり、不陸吸収層１３の背面を裏打ちしている。
【００４５】
防音層１４は、熱可塑性樹脂よりなる連続発泡層１４１と、この連続発泡層１４１の少なくとも片面上に複数配置される熱可塑性樹脂よりなる高発泡部１４２と、連続発泡層１４とともに高発泡部１４２の外表面を被覆する低発泡薄膜１４３とを備えた板状体である。
【００４６】
上記防音層１４の構成をさらに詳細に説明すると、この防音層１４の板状体を厚み方向に投影面に投影したときに、連続発泡層１４１のみ、または連続発泡層１４１と低発泡薄膜１４３のみが投影される連続面と、連続発泡層１４１、低発泡薄膜１４３及び高発泡部１４２が投影される不連続面とからなり、不連続面に対応する発泡体の部位が、連続面に対応する発泡体の部位に対して、一方の表面が凸状１４４に形成され、他方の表面が凹状１４５に形成されている。
【００４７】
上記の連続発泡層１４１、高発泡部１４２及び低発泡薄膜１４３に用いられる熱可塑性樹脂としては、特に限定されるものではないが、例えば、ポリエチレン、ポリプロピレン等のポリオレフィン系樹脂またはこれらの混合物が好ましく、高い圧縮強度を発現できる高密度ポリエチレン、ホモポリプロピレンまたはこれらの混合物が特に好ましい。
【００４８】
また、連続発泡層１４１、高発泡部１４２及び低発泡薄膜１４３に用いられる熱可塑性樹脂とは、同一の樹脂である必要性はないが、同種の樹脂を用いると発泡体同士の融着力が高く、圧縮荷重付与時の破壊が起こりにくいことから、同種の樹脂を用いることが好ましい。
【００４９】
上記連続発泡層１４１の発泡倍率は、１．１〜１０倍、より好ましくは２〜８倍、さらに好ましくは２〜７倍であり、厚みは１００μｍ〜５ｍｍ、より好ましくは３００μｍ〜３ｍｍ、さらに好ましくは５００μｍ〜２ｍｍである。
【００５０】
上記高発泡部１４２の発泡倍率は、２〜１００倍、より好ましくは５〜５０倍、さらに好ましくは１０〜３５倍であり、大きさは３〜５０ｍｍが好ましく、より好ましくは５〜３０ｍｍである。ここで、高発泡部１４２の大きさとは、横断面方向の大きさの最大値をいう。
【００５１】
上記低発泡薄膜１４３の発泡倍率は、１．１〜１０倍、より好ましくは１．２〜７倍、さらに好ましくは１．２〜５倍であり、厚みは３０〜５００μｍ、より好ましくは４０μｍ〜４００μｍ、さらに好ましくは５０〜４００μｍである。
【００５２】
表面板１９は、繊維板１６と表面に抗菌・防かび処理等の表面塗装処理層１８を施した表層板１７とからなる。
繊維板１６は、例えば、表面密度が略１．１グラム／立方センチメートル、全体密度が略０．８５グラム／立方センチメートルの高密度繊維板が、耐へこみ性、耐衝撃性、耐磨耗性等が優れていることから好適に用いられる。
【００５３】
また、繊維板１６の背面には、クロス状に凹溝１６１が形成されており、この凹溝１６１は前記防音層１４の凹状１４５に位置するようにされ、床の遮音・防音に寄与するものとなっている。
【００５４】
（実施の形態２の作用）
遮音シート１５と表面板１９は、両者が一体化され、全体の厚みとして略１３〜１３．５ｍｍとなり、軽量で切断が簡単であるので、既設床１１の上に敷設施工が容易且つ短時間に行うことができる。
【００５５】
そして、遮音シート１５が、フィルム層１２と不陸吸収層１３と防音層１４とをこの順に積層一体化されたものからなり、防音層１４が、熱可塑性樹脂よりなる連続発泡層１４１と、この連続発泡層１４１の少なくとも片面上に複数配置される熱可塑性樹脂よりなる高発泡部１４２と、連続発泡層１４とともに高発泡部１４２の外表面を被覆する低発泡薄膜１４３とを備えた板状体であり、その板状体を厚み方向に投影面に投影したときに、連続発泡層１４１のみ、または連続発泡層１４１と低発泡薄膜１４３のみが投影される連続面と、連続発泡層１４１、低発泡薄膜１４３及び高発泡部１４２が投影される不連続面とからなり、不連続面に対応する発泡体の部位が、連続面に対応する発泡体の部位に対して、一方の表面が凸状１４４に形成され、他方の表面が凹状１４５に形成されているので、軽量床衝撃音の吸収に特に優れた防音性能を示し、全オクターブ帯域において遮音等級ＬＬ−４５をクリアできるものとなっている。
【００５６】
また、上記遮音シート１５と高密度繊維板１６との組み合わせにより、床の硬さは略７１Ｇとなり、一般的な防音床材に比して床の転倒衝撃値が約３５％軽減される。そして、床沈み量が２〜３ｍｍと程よい硬さとなり、快適な歩行感が得られる。
【００５７】
【発明の効果】
請求項１記載の遮音床構造にあっては、既設床を剥がないので施工時間が短縮でき、既設床の耐荷重性能を利用することにより、遮音シートや表面板に剛性等の耐荷重性能を付加する必要がなく、比較的安価に薄くすることができる。そして、遮音シートが弾性材層と制振材層を有するので、軽量床衝撃音と重量床衝撃音の両者を低減できる。
【００５８】
請求項２記載の遮音床構造にあっては、請求項１記載の発明の作用を奏するとともに、制振材層が、アスファルトに酸化鉄と無機フィラーを充填した制振シートであるので、重量床衝撃音を著しく低減できる。
【００５９】
請求項３記載の遮音床構造にあっては、既設床を剥がないので施工時間が短縮でき、既設床の耐荷重性能を利用することにより、遮音シートや表面板に剛性等の耐荷重性能を付加する必要がなく、比較的安価に薄くすることができる。そして、遮音シートが不陸吸収層と防音層を有するので、衝撃音を吸収乃至遮音して床衝撃音を低減できる。
【００６０】
請求項４記載の遮音床構造にあっては、請求項３記載の発明の作用を奏するとともに、軽量で切断が簡単となり、既設床１１の上に敷設施工が容易且つ短時間に行うことができる。
そして、軽量床衝撃音の吸収に特に優れた防音性能を示し、床部が程よい硬さとなり、転倒時の衝撃が軽減され高齢者にもやさしいものとなり、また快適な歩行感が得られる。
【００６１】
請求項５記載の建物ユニットの遮音床構造にあっては、ユニット建物から回収した建物ユニットの床部の遮音性能が向上し、再利用ができるものとなる。なお、この遮音性能が向上した建物ユニットは、特に２階等の階上の建物ユニットとして使用すると、階上の床衝撃音の低減に寄与する。
【００６２】
請求項６記載の遮音床構造の施工方法にあっては、既設床の上の表面板の側縁部が遮音シートの側縁部と重ならないので、床衝撃音が遮音シートや表面板の側縁部間から伝わることがなく、床衝撃音が低減する。
【００６３】
請求項７記載の建物ユニット遮音床構造の施工方法にあっては、建物ユニットの床材の上の表面板の側縁部が遮音シートの側縁部と重ならないので、床衝撃音が遮音シートや表面板の側縁部間から伝わることがなく、床衝撃音が低減し、ユニット建物から回収した建物ユニットの床部の遮音性能が向上し、再利用ができるものとなる。
【図面の簡単な説明】
【図１】この発明の遮音床構造の実施例を示す断面図である。
【図２】遮音床構造に使用される遮音シートの敷設状態を示す模式図である。
【図３】表面板の敷設状態を示す模式図である。
【図４】この発明の遮音床構造の他の実施例の断面図である。
【図５】遮音床構造に使用される遮音シートの断面図である。
【符号の説明】
２　　　　既設床、
３　　　　接着剤
４　　　　遮音シート
４１　　　制振材層
４２　　　弾性材層
５　　　　接着剤
６　　　　表面板
１１　　　既設床、
１５　　　遮音シート
１９　　　表面板
【図１】
2004019123.tif 000003
【図２】
2004019123.tif 000004
【図３】
2004019123.tif 000005
【図４】
2004019123.tif 000006
【図５】
2004019123.tif 000007